(57)【特許請求の範囲】
【請求項１】
原稿が載置される原稿台を、本体の上面の手前側に配置し、本体の両側面にガイドレールを備え、操作パネル体の一端に設けられた係合部を前記ガイドレールのガイド溝に挿脱することにより、前記本体と別体に形成された前記操作パネル体を、前記本体の左右いずれかの側面の前記ガイドレールに挿脱可能に取り付けたことを特徴とする原稿読取装置。
【請求項２】
前記操作パネル体を、前記本体からはみ出した原稿と干渉しない位置に移動可能に支持する支持手段を備え、前記支持手段が、前記ガイドレールのガイド溝に沿って移動することにより前記操作パネル体の位置を移動させることを特徴とする請求項１に記載の原稿読取装置。
【請求項３】
前記支持手段が、自らを回動させることで前記操作パネル体を移動させるブラケットを有することを特徴とする請求項２に記載の原稿読取装置。
【請求項４】
前記支持手段が、前記操作パネル体の向きを上下左右に調整可能とする傾動手段を有することを特徴とする請求項２に記載の原稿読取装置。
【発明の詳細な説明】
【０００１】
【発明の属する技術分野】
本発明は、読取原稿を原稿台上に載置して読み取りを行う原稿読取装置に関するものである。
【０００２】
【従来の技術】
ファクシミリや複写機などの原稿読取装置では、本体の上面に原稿台（プラテンガラス）が設けられ、その下面に設けたイメージセンサで上面に載置した原稿の画像を読み取る構成が一般的であり、原稿台の上方には原稿を押さえる開閉カバーが配置されている。
【０００３】
この種の原稿読取装置では、給紙トレー上に載置された原稿を原稿台の所定の読取位置に搬送する自動原稿送り機構（ＡＤＦ）を開閉カバーに備えたものが多くあり、複数枚の原稿をまとめて読み取る場合に都合が良いが、読取サイズを越える大判の原稿では、開閉カバーを開いて原稿台上に原稿を直接載置した上で読み取りを行うことになる。
【０００４】
【発明が解決しようとする課題】
しかるに、従来の原稿読取装置では、オペレータの操作の便宜から、操作パネルを本体の上面の手前側に配置し、その奥に原稿台を配置する構成が一般的であるが、このように操作パネルが本体の上面に配置されていると、大判の原稿の読み取りの際に、原稿台からはみ出した原稿が操作パネル上に覆い被さり、操作がし難くなる不都合があり、さらに原稿台がオペレータから離れているため、大判の原稿では原稿台に対する位置合わせが面倒で、原稿のセットに手間取る難がある。
【０００５】
本発明は、このような従来技術の問題点を解消するべく案出されたものであり、その主な目的は、読取サイズを越える大判の原稿を原稿台にセットして読み取りを行う際の作業を円滑に行うことができるように構成された原稿読取装置を提供することにある。
【０００６】
【課題を解決するための手段】
このような目的を果たすために、本発明においては、請求項１に示すとおり、原稿が載置される原稿台を、本体の上面の手前側に配置し、本体の両側面にガイドレールを備え、操作パネル体の一端に設けられた係合部を前記ガイドレールのガイド溝に挿脱することにより、前記本体と別体に形成された前記操作パネル体を、前記本体の左右いずれかの側面の前記ガイドレールに挿脱可能に取り付けたものとした。これによると、本装置が据え付けられる周囲の状況に応じて適宜に操作パネル体を付け替えることができ、本装置の据え付けが容易になる。この場合、同一構成のベース部材を別装置に設ければ、操作パネル体を別装置に付け替えて共用することも可能になる。
【０００８】
前記原稿読取装置においては、請求項２に示すとおり、操作パネル体を、前記本体からはみ出した原稿と干渉しない位置に移動可能に支持する支持手段を備え、前記支持手段が、前記ガイドレールのガイド溝に沿って移動することにより前記操作パネル体の位置を移動させる構成をとることができる。これによると、操作パネル体をガイドレールに沿った任意の位置に配置することができ、しかも操作パネル体を取り外すことなく移動させることができるため、操作パネル体の移動を手軽に行うことができる。
【０００９】
前記原稿読取装置においては、請求項３に示すとおり、支持手段が、自らを回動させることで前記操作パネル体を移動させるブラケットを有する構成をとることができる。これによると、操作パネル体を簡易な構成で大きく移動させることが可能になる。
【００１１】
前記原稿読取装置においては、請求項４に示すとおり、操作パネル体を支持する支持手段が、操作パネル体の向きを上下左右に調整可能とする傾動手段を有する構成をとることができる。これによると、身長などのオペレータの都合に応じて操作パネル体の向きを調整することで使い勝手が良くなる。特に操作パネル体を移動可能に構成した場合、操作パネル体の移動に応じて適宜に操作パネル体の向きを調整することで使い勝手を向上させることができる。
【００１２】
【発明の実施の形態】
以下に添付の図面を参照して本発明の構成を詳細に説明する。
【００１３】
図１は、本発明が適用された複写機を示す斜視図である。この複写機は、原稿Ａを読み取って内部に収容された用紙に画像を形成するものであり、原稿Ａが載置される原稿台１が、本体２の上面の手前側に配置され、装置の動作を指示する操作パネル体３が、本体２と別体に形成されてその側面２ａに突出した状態で取り付けられている。原稿台１の上方には自動原稿送り機構を備えた開閉カバー４が設けられ、この開閉カバー４は後端部で本体２に軸支されて上下に開閉可能となっており、図示するように読取サイズを越える大判の原稿Ａでは、開閉カバー４を開いて原稿Ａをセットする。操作パネル体３は、無線によりあるいは可撓性コードにより本体２との間で電気信号の送受信が行われる。
【００１４】
操作パネル体３は、本体２からはみ出した原稿Ａと干渉しない位置に移動可能となっている。具体的には操作パネル体３がブラケット５を介して本体２の側面２ａに支持され、このブラケット５が本体２の側面２ａに設けられたガイドレール６に沿って前後に移動可能となっている。ガイドレール６は本体２の外面に沿って延設され、特にここでは原稿台１の位置に対応して側面２ａの前端縁近傍から後方に向けて延設され、操作パネル体３を後側に移動させることで原稿Ａとの干渉を避けることができる。他方、本体２からはみ出さない寸法の原稿の場合や、開閉カバー４を閉じて自動原稿送り機構を用いる場合には、操作パネル体３を手前側に戻すことで操作が容易になる。また、操作パネル体３を後方に移動させると、排紙トレー９上の用紙の取り扱いが容易になる利点もある。
【００１５】
ブラケット５は、本体２の側面２ａに対して直交方向に突出する水平部７と、その先端から上方に延出する鉛直部８とでＬ字形状をなしており、鉛直部８が水平部７から垂下するように１８０度回動させて上下逆向きとした状態で操作パネル体３を支持することができる。これにより原稿台１より上側の位置から下側の位置に操作パネル体３の高さを大きく移動させることができ、本体２からはみ出した原稿Ａと操作パネル体３との干渉を避けることができる。このとき、操作パネル体３は、本体２の前面近傍まで延設されたガイドレール６により、側面２ａから突出した排紙トレー９の前側でこれと干渉しない位置に配置される。
【００１６】
図２は、図１に示した操作パネル体３を詳しく示す斜視図である。操作パネル体３は、押しボタン式の操作キー１１〜１３と、液晶表示パネルからなる表示部１４とを備えており、操作キー１１〜１３は、原稿の読み取りの開始や用紙サイズの指定などの操作を行うものであり、表示部１４は、操作キー１１〜１３の操作により設定された内容や装置の状態などを示す各種の情報を表示するものである。操作パネル体３を支持するブラケット５の先端には、ガイドレール６のガイド溝に嵌合するＴ字形状断面をなす係合部１６が設けられている。この係合部１６の近傍にはねじ山１７が螺刻されており、ここに中心部にねじ穴が形成された取付リング１８が螺合する。
【００１７】
図３は、図２に示したブラケットのガイドレールに対する取付構造を示す斜視図である。ブラケット５の先端の係合部１６には、長径がガイドレール６のガイド溝２０の開口幅より長尺で、短径がガイド溝２０の開口幅より短尺な略直方体形状をなす頭部２１が設けられており、この頭部２１は、ブラケット５の鉛直部８を横に寝かせた状態でガイド溝２０内に嵌入され、鉛直部８が水平部７から起立あるいは垂下する方向となるようにブラケット５を回転させるとガイド溝２０からの抜け出しが不能となり、この状態で取付リング１８を締め付けることでブラケット５がガイドレール６に対して固定される。他方、取付リング１８を緩めると、ガイドレール６に沿った移動が可能になり、操作パネル体３の前後位置を調整することができる。
【００１８】
図４は、図２に示した操作パネル体３の背面側を示す斜視図である。操作パネル体３は、連結部材（傾動手段）２３を介してブラケット５と連結されている。この連結部材２３は、略Ｕ字形状断面をなし、ブラケット５の鉛直部８に嵌合すると共に、操作パネル体３の背面に突設された取付部２４を挟み込み、この取付部２４を貫通して連結部材２３に螺合するねじ棒２６と一体の固定ノブ２５を締め付けることで、ブラケット５と連結部材２３と操作パネル体３との三者が相互に固定される。
【００１９】
他方、固定ノブ２５を緩めると、ブラケット５の鉛直部８と連結部材２３との相対回動が可能になるため、操作パネル体３を左右に傾動させることができ、同時に連結部材２３と取付部２４との相対回動が可能になるため、操作パネル体３を上下に傾動させることができる。これにより操作パネル体３の操作キー１１〜１３の操作性及び表示部１４の視認性が良好になる任意の角度に操作パネル体３の向きを調整することができる。また、固定ノブ２５を緩めることで、ブラケット５の鉛直部８に沿って連結部材２３をスライドさせることができるため、操作パネル体３の取付高さを調整することができる。
【００２０】
図５は、図１に示した操作パネル体３の種々の取付例を示す正面図である。本体２には、その左右の側面２ａ・２ｂの双方にガイドレール（ベース部材）６が設けられており、操作パネル体３が、左右の側面２ａ・２ｂのいずれにも取付可能となっている。図中Ｉで示す取付状態では、排紙トレー９が設けられた側面２ａに操作パネル体３が配置されており、排紙トレー９と相反する側の側面２ｂを室内の壁面に近接させて据え付けることができる。図中ＩＩで示す取付状態では、図１に示したように操作パネル体３の高さを下側に移動させて、本体２からはみ出した原稿との干渉を避けることができる。
【００２１】
図中ＩＩＩで示す取付状態では、排紙トレー９と相反する側の側面２ｂに操作パネル体３が配置されており、操作パネル体３が排紙トレー９上の用紙の取り扱いの邪魔にならずに済む。図中ＩＶで示す取付状態では、前記図中ＩＩで示す取付状態と同様に、操作パネル体３が本体２からはみ出した原稿との干渉を避けることができる。この場合、図中ＩＩで示す取付状態のように操作パネル体３が排紙トレー９と干渉することがないため、操作パネル体３をガイドレール６に沿って前後に移動させることができる。
【００２２】
図６は、図１に示した複写機の変形例を示す正面図である。ここでは、排紙部３１が本体３２の内部に設けられており、本体３２の側面３２ａ・３２ｂから突出する排紙トレーがないため、据え付けの自由度が向上し、操作パネル体３を室内の壁面と相反する側に配置することで、左右の側面３２ａ・３２ｂのいずれをも室内の壁面に近接させて据え付けることができる。
【００２３】
なお、本実施形態においては、ブラケット５と本体２とを取付リング１８で締め付け固定するものとしたが、本発明はこれに限定されることなく種々の構成が可能であり、例えばガイドレール６の任意の位置で静止保持するフリーストップ機能を備えたスライダをブラケット５に設ける構成としても良い。また、ブラケット５と操作パネル体３とを固定ノブ２５で締め付け固定するものしたが、この他にも種々の構成が可能であり、例えばフリーストップヒンジを用いる構成としても良い。このようにフリーストップ構成とする場合は、操作キーの操作性を阻害しないようにフリクションを適切に設定する。
【００２４】
【発明の効果】
このように本発明によれば、原稿台が本体の上面の手前側に配置されるため、読取サイズを越える大判の原稿のセットが容易になり、しかも、原稿台からはみ出した原稿に邪魔されて操作パネルの操作がし難くなることを避けることができるため、原稿の読み取り作業の能率を高める上で大きな効果が得られる。
【図面の簡単な説明】
【図１】本発明が適用された複写機を示す斜視図
【図２】図１に示した操作パネル体を詳しく示す斜視図
【図３】図２に示したブラケットのガイドレールに対する取付構造を示す斜視図
【図４】図２に示した操作パネル体の背面側を示す斜視図
【図５】図１に示した操作パネル体の種々の取付例を示す正面図
【図６】図１に示した複写機の変形例を示す正面図
【符号の説明】
１  原稿台
２  本体、２ａ・２ｂ  側面
３  操作パネル体
４  開閉カバー
５  ブラケット
６  ガイドレール（ベース部材）
２３  連結部材（傾動手段）
Ａ  原稿
【図１】
0003569694.tif 000002
【図２】
0003569694.tif 000003
【図３】
0003569694.tif 000004
【図４】
0003569694.tif 000005
【図５】
0003569694.tif 000006
【図６】
0003569694.tif 000007